(57)【要約】【課題】より便利な画像形成装置を提供する。【解決手段】再コピーモードを実行する際、液晶表示部に表示されたモードのみ呼び出しキーが操作された場合には（ステップＳ３でＹＥＳ）、指定ジョブの設定データを読み出して、その後の画像形成動作をその設定データに基づく設定内容で実行するよう設定する（ステップＳ７）。【効果】以前に画像形成を行った際と同じ設定内容で、異なる画像データに基づく画像形成を行うことができる。複数種類の機能を設定して画像形成を行った場合には、再度複雑な設定をする手間が省ける。【選択図】            図７
2004227079.tif 000002
【特許請求の範囲】
【請求項１】
複数種類の機能の中から所定の機能を設定して画像形成を行うことができる画像形成装置であって、
画像形成を行ったときの画像データおよび機能の設定内容のデータを記憶しておくことができるデータ記憶手段と、
上記データ記憶手段から機能の設定内容のデータのみを読み出し、そのデータに基づいて画像形成を行わせるための設定内容読出手段とを含むことを特徴とする画像形成装置。
【請求項２】
上記データ記憶手段から画像データのみを読み出し、その画像データに基づいて画像形成を行わせるための画像データ読出手段をさらに含むことを特徴とする請求項１記載の画像形成装置。
【請求項３】
上記データ記憶手段から画像データおよび機能の設定内容のデータを読み出し、それらのデータに基づいて画像形成を行わせるための手段をさらに含むことを特徴とする請求項１または２記載の画像形成装置。
【請求項４】
上記データ記憶手段に記憶されているデータの履歴を表示する履歴表示手段と、
上記履歴表示手段により表示された履歴の中から所定の履歴を選択し、その選択した履歴に対応するデータを上記データ記憶手段から読み出させるための履歴選択手段とをさらに含むことを特徴とする請求項１〜３のいずれかに記載の画像形成装置。
【発明の詳細な説明】
【０００１】
【発明の属する技術分野】
この発明は、複写機などの画像形成装置に関する。
【０００２】
【従来の技術】
画像形成装置の一例としての複写機の中には、たとえば、原稿に対する画像形成時の倍率（拡大率／縮小率）を設定する機能や、用紙の両面に画像を形成する両面モードを設定する機能などの各種機能を備えたものがある。
この種の複写機の中には、画像形成を行ったときの画像データおよび機能の設定内容のデータ（設定データ）をメモリに記憶しておいて、それらのデータを後で読み出して画像形成を行う（再コピー）ことができるようになっているものがある。この種の複写機では、以前に画像形成を行ったときと同じ画像形成後の用紙を、手元にその原稿がなくても得ることができるので、便利である。
【０００３】
しかしながら、従来の複写機における再コピーでは、画像データと設定データとがメモリから読み出されるので、以前に画像形成を行ったときと同じ機能の設定内容で異なる原稿に基づく画像形成を行ったり、以前に画像形成を行ったときと同じ画像データに基づく画像形成を異なる機能の設定内容で行ったりすることはできなかった。したがって、従来の複写機は、再コピーに関して十分に便利であるとはいえなかった。
【０００４】
一方で、互いにネットワーク接続されたスキャナ、サーバ、プリンタ、複数のクライアント（パーソナルコンピュータ）などを用いて、スキャナで読み取った原稿の画像データをデータベースに記憶し、その画像データをクライアントでの指定操作によって読み出して再コピーを行うことができるような画像出力システムが提案されている（たとえば、特許文献１参照）。
この画像出力システムでは、再コピー時のクライアントでの設定操作により、機能の設定内容を変更することができるようになっているが、機能の設定内容のデータだけを読み出して異なる画像データに基づく画像形成を行うことはできない。また、クライアント側で操作を行わなければならないので、画像形成装置（プリンタ）側で手軽に再コピーを行うことはできない。
【０００５】
【特許文献１】
特開２００２−１６９６８０号公報
【０００６】
【発明が解決しようとする課題】
この発明は、かかる背景のもとでなされたもので、より便利な画像形成装置を提供することを目的とする。
【０００７】
【課題を解決するための手段および発明の効果】
上記目的を達成するための請求項１記載の発明は、複数種類の機能（モードなど）の中から所定の機能を設定して画像形成を行うことができる画像形成装置（１）であって、画像形成を行ったときの画像データおよび機能の設定内容のデータを記憶しておくことができるデータ記憶手段（８）と、上記データ記憶手段から機能の設定内容のデータのみを読み出し、そのデータに基づいて画像形成を行わせるための設定内容読出手段（７２Ｈ，４１，Ｓ７）とを含むことを特徴とする画像形成装置である。
【０００８】
なお、括弧内の英数字は、後述の実施形態における対応構成要素などを表す。以下、この項において同じ。
この構成によれば、以前に画像形成を行った際の機能の設定内容のデータ（設定データ）を読み出して、その設定内容で画像形成を行うことができる。これにより、以前に画像形成を行った際と同じ設定内容で、異なる画像データに基づく画像形成を行うことができるので、便利である。
【０００９】
特に、複数種類の機能を設定して画像形成を行った場合には、再度複雑な設定をする手間が省けるので、より便利である。
請求項２記載の発明は、上記データ記憶手段（８）から画像データのみを読み出し、その画像データに基づいて画像形成を行わせるための画像データ読出手段（７２Ｉ，４１，Ｓ６）をさらに含むことを特徴とする請求項１記載の画像形成装置（１）である。
【００１０】
この構成によれば、以前に画像形成を行った際の画像データを読み出して、その画像データに基づいて画像形成を行うことができる。これにより、以前に画像形成を行った際と同じ画像データに基づいて、異なる設定内容で（たとえば、他の機能を付加したり、設定されている機能を削除したりして）画像形成を行うことができるので、便利である。
請求項３記載の発明は、上記データ記憶手段（８）から画像データおよび機能の設定内容のデータを読み出し、それらのデータに基づいて画像形成を行わせるための手段（７２Ｇ，４１，Ｓ５，Ｓ６）をさらに含むことを特徴とする請求項１または２記載の画像形成装置（１）である。
【００１１】
この構成によれば、以前に画像形成を行った際の画像データおよび設定データを読み出して画像形成を行うことにより、以前に画像形成を行ったときに得られた画像形成後の用紙と同じ用紙を容易に得ることができるので、便利である。
請求項４記載の発明は、上記データ記憶手段（８）に記憶されているデータの履歴を表示する履歴表示手段（７２Ｋ）と、上記履歴表示手段により表示された履歴の中から所定の履歴を選択し、その選択した履歴に対応するデータ（画像データや機能の設定内容のデータ）を上記データ記憶手段から読み出させるための履歴選択手段（７２Ｄ）とをさらに含むことを特徴とする請求項１〜３のいずれかに記載の画像形成装置（１）である。
【００１２】
この構成によれば、履歴表示手段により表示された履歴の中から所望の履歴を選択して、その履歴の画像形成時における画像データや設定データを読み出して画像形成を行うことができる。したがって、所望の画像データや設定データを容易に読み出すことができ、より便利である。
【００１３】
【発明の実施の形態】
以下には、図面を参照して、この発明の実施形態について具体的に説明する。
図１は、この発明の一実施形態に係る画像形成装置１および後処理装置２の構成を示す概略図である。
画像形成装置１は、たとえばデジタル式複写機であって、使用する用紙に対して画像データに基づく画像を形成するものである。画像形成装置１には、原稿の画像を読み取るための画像読取部５、原稿トレイ６１にセットされた１ないし複数枚の原稿を１枚ずつ自動的に画像読取部５へと送り、その画像を読み取らせるための自動原稿供給装置（ＤＦ）６、画像読取部５で読み取った原稿の画像データに基づいて用紙に対する画像形成を行う画像形成部３、使用する用紙を収容するための複数（たとえば、３つ）の用紙収容部４Ａ，４Ｂ，４Ｃなどが備えられている。
【００１４】
各用紙収容部４Ａ〜４Ｃには、たとえば、サイズ（日本工業規格（ＪＩＳ）のＡ列４番（Ａ４）やＢ列５番（Ｂ５）など）の異なる用紙を収容できるようになっていて、これらの用紙収容部４Ａ〜４Ｃの中から選択されたいずれか１つの用紙収容部から、画像形成部３に向けて用紙が送り出されるようになっている。
用紙に形成すべき画像のデータは、外部機器（パーソナルコンピュータなど）から画像形成装置１に読み込むこともできるし、画像読取部５において原稿の画像を読み取ることによっても得られる。
【００１５】
自動原稿供給装置６は、たとえば、その後端を中心に開閉可能となっていて、この自動原稿供給装置６を開けると、画像読取部５において原稿の画像を読み取らせる際の載置台としてのコンタクトガラス（図示せず）が現れるようになっている。この構成により、自動原稿供給装置６を開いてコンタクトガラス上に１枚ずつ原稿をセットして、その画像を画像読取部５で読み取らせることもできるし、原稿トレイ６１に１ないし複数枚の原稿をセットして、自動原稿供給装置６により原稿を１枚ずつ画像読取部５へと供給し、その画像を読み取らせる（いわゆる流し読み）こともできるようになっている。
【００１６】
原稿の画像データは、たとえば、画像読取部５に備えられたスキャナ２３から原稿に向けて照射した光の反射光をＣＣＤイメージセンサ２４で検出して、電気信号に変換することにより得られる（図２参照）。
画像形成部５の構成は、たとえば、感光体、メインチャージャ、現像装置および転写装置などを含む周知の構成である。すなわち、画像形成時には、略円筒状の感光体の表面がメインチャージャによって一様に帯電され、この感光体の表面にレーザ走査ユニット１６（ＬＳＵ；図２参照）からの画像データに基づく光が照射されることにより、感光体の表面にいわゆる静電潜像が形成される。静電潜像が形成された感光体の表面には、現像装置によりトナーが選択的に付着され、トナー像が形成される。そして、感光体表面に形成されたトナー像は、転写装置の働きによって、用紙収容部４Ａ〜４Ｃから送られてきた用紙に転写される。
【００１７】
トナー像転写後の用紙は、定着装置（図示せず）へと送られ、所定の定着処理を受けた後、後処理装置２に送られる。
後処理装置２は、たとえば、画像形成後の用紙の所定位置に孔をあけるパンチ処理、画像形成後の複数枚の用紙の端部を揃えて、１部の用紙束として排出する用紙束排出処理、用紙束をまとめてステープルで綴じるステープル処理などの後処理を行うためのものであって、画像形成装置１に隣接して配置される。
【００１８】
画像形成後の用紙に対して後処理装置２で後処理を行うか否か、そして後処理を行うのであればいずれの後処理を行うかは、たとえば、画像形成装置１の上面に配置された操作パネル７（図３参照）を操作することにより決定される。
後処理装置２には、画像形成装置１から送られてきた用紙に対してパンチ処理を行うためのパンチ装置３１と、用紙束排出処理やステープル処理を行う際に、用紙を所定の許容枚数（たとえば、５０枚）までスタック（蓄積）しておくことができる中間トレイ３２と、中間トレイ３２にスタックされた用紙束に対してステープル処理を行うためのステープル装置３３とが備えられている。また、後処理装置２内には、画像形成装置１から送られてきた用紙を搬送するための複数の搬送ローラ３４，３５，３６が配置されている。
【００１９】
画像形成装置１から後処理装置２に送られてきた用紙は、まず、搬送ローラ３４から搬送ローラ３５へと送られる過程でパンチ装置３１を通過する。そして、操作パネル７の操作によりパンチ処理を行うと決定されている場合には、パンチ装置３１により用紙の所定位置に孔があけられる。一方、パンチ処理を行うと決定されていない場合には、用紙はパンチ処理が施されることなくパンチ装置３１を通過する。
【００２０】
搬送ローラ３５に対して用紙搬送方向下流側には、たとえば、その軸線回りの両方向（時計回りまたは反時計回り）に回転可能な分岐ローラ３９が配置されている。搬送ローラ３５を通過してきた用紙は、分岐ローラ３９の回転方向に応じて、排出ローラ３７に向かう第１経路Ｐ１、または中間トレイ３２に向かう第２経路Ｐ２のいずれかに導かれるようになっている。すなわち、分岐ローラ３９を反時計回りに回転させることにより用紙を第１経路Ｐ１に導くことができ、時計回りに回転させることにより用紙を第２経路Ｐ２に導くことができるようになっている。
【００２１】
用紙束排出処理やステープル処理などの中間トレイ３２を用いた後処理が選択されていない場合には、分岐ローラ３９が反時計回りに回転されることにより、搬送ローラ３５を通過する用紙は第１経路Ｐ１に導かれ、排出ローラ３７を通って機外に排出される。一方、中間トレイ３２を用いた後処理が選択されている場合には、分岐ローラ３９が時計回りに回転されることにより、搬送ローラ３５を通過する用紙は第２経路Ｐ２に導かれる。
【００２２】
中間トレイ３２は、たとえば、その受け面３２１が上下方向に対して傾いた姿勢で配置されていて、搬送ローラ３６を通って中間トレイ３２に送られてきた用紙は、当該中間トレイ３２の受け面３２１に沿って順次重ねられ、スタックされる。中間トレイ３２の下部には、スタックされた用紙束の下端を支持するための支持部材３８が配置されている。この支持部材３８は、中間トレイ３２の受け面３２１に沿って変位可能であって、中間トレイ３２に用紙がスタックされた状態で支持部材３８を上側に変位させることにより、用紙束を排出ローラ３７へと導くことができるようになっている。支持部材３８が上側に変位されて、スタックされていた用紙束の先端（上端）が排出ローラ３７に到達すると、その用紙束が排出ローラ３７によって機外に排出される。
【００２３】
ステープル処理が選択されている場合には、中間トレイ３２の下部に配置されたステープル装置３３により、中間トレイ３２にスタックされている用紙束がステープルで綴じられた後、支持部材３８が上側に変位され、その用紙束が排出ローラ３７を介して機外に排出される。ステープル処理には、たとえば、用紙束の先端をステープルで綴じる先端綴じや、用紙束の長手方向の中央を短手方向に沿ってステープルで綴じる中央綴じなどが含まれる。
【００２４】
後処理装置２の側面には、排出ローラ３７から排出される用紙を受けるためのメイントレイ３６１および複数（たとえば、５つ）のサブトレイ３６２が配置されている。メイントレイ３６１および複数のサブトレイ３６２は、それぞれ上下方向に変位可能となっていて、各トレイ３６１，３６２を排出ローラ３７に対向する位置に変位させることにより、そのトレイ３６１，３６２で排出ローラ３７から排出された用紙を受けることができるようになっている。排出ローラ３７から排出される用紙は、通常、比較的大容量のメイントレイ３６１により受けられるようになっているが、たとえば、１部の画像データに基づいて複数部の画像形成を行った場合などには、各部の用紙が複数のサブトレイ３６２に振り分けて排出されるようになっている。
【００２５】
図２は、画像形成装置１の電気的構成を説明するためのブロック図である。
画像形成装置１に備えられた制御部４０は、たとえばマイクロコンピュータなどからなり、ＣＰＵ４１、ＲＡＭ４２およびＲＯＭ４３の他、画像データを記憶しておくためのメモリコピー部４４を含む。
制御部４０には、操作パネル７、ハードディスク（ＨＤＤ）８、画像読取部５、プリンタコントローラ９、画像形成部３などがそれぞれインタフェース（Ｉ／Ｆ）４５を介して入出力可能に接続されている。
【００２６】
ハードディスク８は、画像データを圧縮して蓄積しておくためのものである。画像形成時には、ハードディスク８に蓄積されている画像データが伸張されてメモリコピー部４４に展開され、その展開された画像データが画像形成部３のレーザ走査ユニット１６へと送られる。
画像読取部５は、スキャナ２３、自動原稿供給装置６、ＣＣＤイメージセンサ２４などを含む。画像読取部５で読み取られた原稿の画像データは、ＣＣＤイメージセンサ２４から制御部４０へ送られ、メモリコピー部４４に記憶される。
【００２７】
プリンタコントローラ９は、パーソナルコンピュータ（ＰＣ）１０Ａなどの外部機器に接続されていて、パーソナルコンピュータ１０Ａからプリンタコントローラ９を介して制御部４０に画像データを送ることができるようになっている。プリンタコントローラ９から制御部４０に送られた画像データは、メモリコピー部４４に記憶される。
また、プリンタコントローラ９は、他のパーソナルコンピュータ１０ＢとネットワークＮを介して接続されていて、これらの他のパーソナルコンピュータ１０Ｂからも、プリンタコントローラ９を介して制御部４０に画像データを送ることができるようになっている。
【００２８】
この画像形成装置１は、画像読取部５で読み取った原稿の画像データに基づく画像形成を行う機能（コピー機能）の他に、プリンタコントローラ９を介して接続されたパーソナルコンピュータ１０Ａ，１０Ｂから画像データを読み込んで、その画像データに基づく画像形成を行う機能（プリンタ機能）や、画像読取部５で読み取った原稿の画像データをパーソナルコンピュータ１０Ａ，１０Ｂに送信する機能（スキャナ機能）などを有する、いわゆる複合機である。
【００２９】
後処理装置２は、たとえば、画像形成部３のインタフェース４５を介して、画像形成装置１に対して電気的に接続されている。画像形成装置１の操作パネル７が操作されて、各種後処理（パンチ処理、用紙束排出処理、ステープル処理など）を行うと設定された場合には、その設定内容に基づいて、制御部４０のＣＰＵ４１が後処理装置２の動作を制御するようになっている。
図３は、操作パネル７の外観構成を示す平面図である。
【００３０】
操作パネル７の略中央部には、たとえばタッチパネル付きの液晶表示器により構成される液晶表示部７２が配置されている。この液晶表示部７２には、画像形成装置１の運転状況や各種機能の設定状況などを表示できるとともに、当該液晶表示部７２に表示された操作キーに触れることで、各種設定を行うことができるようになっている。
液晶表示部７２の右側には、たとえば、部数を入力する際などに操作されるテンキー、画像形成装置１の画像形成動作を開始させる際に操作されるスタートキー、画像形成装置１の画像形成動作を停止させる際などに操作されるストップキー、各種機能の設定内容を初期状態にリセットする際に操作されるリセットキーなどの複数の入力キー７１１が配置されている。また、操作パネル７の後端部、すなわち液晶表示部７２の後側から入力キー７１１の後側にかけての部分には、各種機能を選択するための複数の機能選択キー７１２が配置されている。入力キー７１１および機能選択キー７１２は、その押操作によって入力が可能なキー入力部７１を構成している（図２参照）。
【００３１】
また、液晶表示部７２の左側には、たとえば、この画像形成装置１の運転状況（コピー機能、プリンタ機能およびスキャナ機能のいずれを実行中であるか）を表示するためのＬＥＤ表示部７３が配置されている。
この実施形態では、機能選択キー７１２に含まれる再コピーキー７１３を操作することにより、以前に画像形成を行った際の画像データや機能の設定内容のデータ（設定データ）などを読み出して画像形成を行うモード（再コピーモード）を設定できるようになっている。設定データには、たとえば、原稿に対する画像形成時の倍率（拡大率／縮小率）、用紙の両面に画像を形成する両面モードの選択の有無、後処理装置２による後処理の選択の有無、複数ページ分の画像データを１枚の用紙に集約して画像形成を行う集約モードの選択の有無、使用した用紙のサイズなどのデータが含まれる。ただし、設定データは上記のようなデータに限らず他のデータを含むものであってもよい。
【００３２】
図４は、液晶表示部７２の表示内容の一例を示す図である。
待機状態で液晶表示部７２の手前側に表示される「基本」、「ユーザー機能」、「機能リスト」および「プログラム」の４つの操作キーのうち、「機能リスト」の操作キーを操作すると、液晶表示部７２の表示画面が、図４に示すような各種機能に対応する操作キー（自動回転、ＯＨＰ合紙、試しコピー、書き込み余白、エコプリント、原稿セット向き、白黒反転、鏡像、再コピー設定、排出先選択など）が表示された画面に切り替わる。この表示画面において「再コピー設定」の操作キー７２Ａを操作すると、液晶表示部７２の表示画面が、図５に示すような再コピー設定画面に切り替わる。
【００３３】
再コピーモードで読み出すための画像データおよび設定データは、この再コピー設定画面で再コピー機能を選択した後で画像形成を行うことにより、ハードディスク８に記憶させることができる。
より具体的には、再コピー設定画面では、再コピー機能を選択するか否かを決定するための操作キー７２Ｂ（「しない」という操作キーおよび「する」という操作キー）が表示される（図５参照）。そして、「する」という操作キーを操作すれば、図５に示すようにその操作キーが反転表示され、再コピー機能が選択される。このようにして再コピー機能を選択した後、当該画像形成装置１における画像形成動作を開始させることにより、画像形成を行った際の画像データおよび設定データがハードディスク８に記憶される。このとき、画像データおよび設定データには、ジョブ番号（各画像形成動作（ジョブ）に割り当てられる番号）の他、その画像形成を行ったユーザー名、原稿の枚数、部数、画像データおよび設定データの登録日時（画像形成を行った日時）、画像形成の結果（終了／中止）などのデータが関連付けて記憶されるようになっている。
【００３４】
この実施形態では、再コピー設定画面においてキー入力部７１のテンキーを操作することにより、暗証番号（たとえば、８桁）を設定することができるようになっている。暗証番号を設定した場合には、その後の画像形成時にハードディスク８に記憶された画像データおよび設定データは、その設定した暗証番号を入力しなければハードディスク８から読み出せないようになっている。この構成によれば、秘密にする必要のある画像データなどが他人に読み出されるのを防止できるので、便利である。
【００３５】
ただし、上述したように再コピー設定画面で再コピー機能を選択した後で画像形成を行うことにより、画像データや設定データがハードディスク８に記憶されるような構成に限らず、たとえば、画像形成を行ったすべての画像データおよび設定データがハードディスク８に記憶されるようになっていてもよい。
また、画像データと設定データとが同一のハードディスク８に記憶されるのではなく、それぞれ異なるメモリに記憶されるようになっていてもよい。
【００３６】
図６は、再コピーモードを実行する場合の液晶表示部７２の表示内容の流れを示す図である。
待機状態で操作パネル７の再コピーキー７１３を操作すると、液晶表示部７３の表示画面が図６（ａ）に示すような再コピー画面に切り替わる。この再コピー画面では、ハードディスク８に記憶されている以前に実行されたジョブに関する情報（履歴）が、前後方向に整列された一覧表示７２Ｋにより表示される。各ジョブに関する情報には、たとえば、ジョブ番号、ユーザー名、原稿の枚数、部数（セット）、登録日時および結果についての情報が含まれていて、これらの情報がこの順序で横一列に並べて表示される。
【００３７】
液晶表示部７２の表示画面の右端部には、表示画面に表示されているジョブを選択するための選択キー７２Ｃが表示されている。一覧表示７２Ｋ内には、選択されているジョブに関する情報を囲むカーソルが表示されるようになっていて、選択キー７２Ｃを操作することにより、カーソルを前後にシフトさせ、所望のジョブを選択することができる。カーソル内の表示（すなわち、選択されているジョブに関する情報）は反転表示されるようになっている。
【００３８】
液晶表示部７２の表示画面の手前側には、呼び出しキー７２Ｄ、削除キー７２Ｅおよび内容確認キー７２Ｆが表示されている。上記のようにして所定のジョブにカーソルを合わせた状態で内容確認キー７２Ｆを操作すると、このジョブの画像形成時における各種機能の詳細な設定内容が表示画面に表示されるようになっている。また、所定のジョブにカーソルを合わせた状態で削除キー７２Ｅを操作すると、そのジョブが一覧表示７２Ｋから削除され、ハードディスク８に記憶されていた当該ジョブの画像データおよび設定データが削除されるようになっている。
【００３９】
所定のジョブにカーソルを合わせた状態で呼び出しキー７２Ｄを操作すると、そのジョブが指定され、当該ジョブの再コピー機能選択時（ジョブ実行時）に設定された暗証番号が入力されると、液晶表示部７２の表示画面が図６（ｂ）に示すような画面に切り替わる。この表示画面では、たとえば、指定されたジョブ（指定ジョブ）のジョブ番号およびユーザー名が表示されるとともに、当該指定ジョブの実行時にジョブ名を入力したときには、そのジョブ名が表示される。また、この表示画面には、再コピー出力キー７２Ｇ、モードのみ呼び出しキー７２Ｈ、画像のみ呼び出しキー７２Ｉ、中止キー７２Ｊなどの操作キーが表示される。
【００４０】
図７は、図６（ｂ）の表示画面におけるユーザーの操作に応答してＣＰＵ４１が行う制御内容を示すフローチャートである。
液晶表示部７２の表示画面が図６（ｂ）に示すような画面に切り替わると、ＣＰＵ４１は、この表示画面に表示されているいずれかの操作キー７２Ｇ〜７２Ｊが操作されるか否かを監視する（ステップＳ１〜Ｓ４）。そして、いずれかの操作キー７２Ｇ〜７２Ｊが操作されると、ＣＰＵ４１は、その操作された操作キー７２Ｇ〜７２Ｊに応じて異なる制御を行う。
【００４１】
再コピー出力キー７２Ｇが操作された場合には（ステップＳ１でＹＥＳ）、ＣＰＵ４１は、指定ジョブの設定データを読み出して、その後の画像形成動作をその設定データに基づく設定内容で実行するよう設定する（ステップＳ５）。そして、ＣＰＵ４１は、当該画像形成装置１の動作モードを、その後に行われる画像形成時に当該指定ジョブの画像データを読み出して画像形成を行うモード（画像データ読出モード）に設定する（ステップＳ６）。
【００４２】
その後、画像形成装置１の画像形成動作が開始されると、指定ジョブの画像データが読み出され、その画像データに基づく画像形成が、指定ジョブの設定データに基づく設定内容で行われる。これにより、指定ジョブの実行時に得られた画像形成後の用紙と同じ用紙を得ることができる（再コピー）ので、便利である。
画像のみ呼び出しキー７２Ｉが操作された場合には（ステップＳ２でＹＥＳ）、ＣＰＵ４１は、指定ジョブの設定データを読み出すことなく、当該画像形成装置１の動作モードを画像データ読出モードに設定する（ステップＳ６）。
【００４３】
その後、画像形成装置１の画像形成動作が開始されると、指定ジョブの画像データが読み出され、その画像データに基づく画像形成が、画像形成前に予め設定された各種機能の設定内容で行われる。これにより、指定ジョブと同じ画像データに基づいて、異なる設定内容で（たとえば、他の機能を付加したり、設定されている機能を削除したりして）画像形成を行うことができるので、便利である。
モードのみ呼び出しキー７２Ｈが操作された場合には（ステップＳ３でＹＥＳ）、ＣＰＵ４１は、指定ジョブの設定データを読み出して、その後の画像形成動作をその設定データに基づく設定内容で実行するよう設定する（ステップＳ７）。
【００４４】
その後、画像形成装置１の画像形成動作が開始されると、画像読取部５または外部のパーソナルコンピュータ１０Ａ，１０Ｂから読み込んだ画像データに基づく画像形成が、指定ジョブの設定データに基づく設定内容で行われる。これにより、指定ジョブと同じ設定内容で、異なる画像データに基づく画像形成を行うことができるので、便利である。
特に、指定ジョブの実行時に複数種類の機能を設定した場合には、再度複雑な設定をする手間が省けるので、より便利である。
【００４５】
中止キー７２Ｊが操作された場合には（ステップＳ４でＹＥＳ）、ＣＰＵ４１は、指定ジョブに基づく再コピーモードの実行を中止し、液晶表示部７２の表示画面を図６（ａ）に示すような再コピー画面に切り替える（ステップＳ８）。
この実施形態では、一覧表示７２Ｋに表示された履歴（ジョブ）の中から所望の履歴を選択して、その履歴の画像形成時における画像データや設定データを読み出して画像形成を行うことができるので、所望の画像データや設定データを容易に読み出すことができ、より便利である。
【００４６】
この発明は、以上の実施形態の内容に限定されるものではなく、請求項記載の範囲内において種々の変更が可能である。
たとえば、後処理装置２は、パンチ処理、用紙束排出処理およびステープル処理だけでなく、他の後処理（ステープル装置３３によって中央綴じされた用紙束を中央でステープルに沿って折り曲げることにより用紙束を冊子状にする処理など）を実行できるものであってもよい。
【００４７】
また、上記実施形態のように画像形成装置１と後処理装置２とが別個に設けられた構成に限らず、これらが一体的に構成されていてもよいし、後処理装置２が設けられていない構成であってもよい。
画像形成装置１は、デジタル式複写機に限らず、プリンタやファクシミリなどであってもよい。
【図面の簡単な説明】
【図１】この発明の一実施形態に係る画像形成装置および後処理装置の構成を示す概略図である。
【図２】画像形成装置の電気的構成を説明するためのブロック図である。
【図３】操作パネルの外観構成を示す平面図である。
【図４】液晶表示部の表示内容の一例を示す図である。
【図５】再コピー設定画面を示す図である。
【図６】再コピーモードを実行する場合の液晶表示部の表示内容の流れを示す図である。
【図７】図６（ｂ）の表示画面におけるユーザーの操作に応答してＣＰＵが行う制御内容を示すフローチャートである。
【符号の説明】
１  画像形成装置
３  画像形成部
８  ハードディスク
４１  ＣＰＵ
７２  液晶表示部
７２Ｄ  呼び出しキー
７２Ｇ  再コピー出力キー
７２Ｈ  モードのみ呼び出しキー
７２Ｉ  画像のみ呼び出しキー
７２Ｋ  一覧表示
【図１】
2004227079.tif 000003
【図２】
2004227079.tif 000004
【図３】
2004227079.tif 000005
【図４】
2004227079.tif 000006
【図５】
2004227079.tif 000007
【図６】
2004227079.tif 000008
【図７】
2004227079.tif 000009